(57)【特許請求の範囲】
【請求項１】
箱体(1) の所要面に角窓孔(2) を設けてその開口縁を縁枠(3) により縁取りした電気機器収納用箱において、前記縁枠(3) は、角窓孔(2)の各辺毎に装着される長さで前面モール用の前庇部(4a)と固定用の後庇部(4b)との間を前記角窓孔(2) の開口縁に遊嵌させるに充分な溝幅の溝部(4d)に形成した４本のモール用型材(4) と、これら４本のモール用型材(4) の後庇部(4b)の背面に形成された浅溝状の連結金具保持部(4e)内に添装されて４本のモール用型材(4)を連結する４個の扁平なＬ形連結金具(5) よりなるもので、各モール用型材(4) を前記溝部(4d)をもって角窓孔(2) の各縁辺に遊嵌するとともに隣接するモール用型材(4) 、(4)の連結金具保持部(4e)、(4e)の端部間に前記Ｌ形連結金具(5) を添わせて雄ねじ(12)により額縁状に枠組みし、各後庇部(4b)から箱体裏面に向け螺挿される雄ねじ(11)により各モール用型材(4) を箱体(1) の角窓孔(2) に対して固定してあることを特徴とする電気機器収納用箱。
【請求項２】
モール用型材(4) はその前庇部(4a)と後庇部(4b)とを繋ぐ細帯状の基板部(4c)に脚板部(4f)を延設して角窓孔(2) を通じ後庇部(4b)が覗き見されないようにしてある請求項１に記載の電気機器収納用箱。
【発明の詳細な説明】
【産業上の利用分野】
本発明は、内部に開閉器や遮断器あるいは計器類など任意の機器類を収納して各種の箱入電気機器とする電気機器収納用箱に関するものである。
【０００１】
【従来の技術】
箱体の扉面その他の必要な面に角窓孔を設けてその開口縁を縁枠により縁取りした電気機器収納用箱は従来より知られているところであるが、従来のこの種電気機器収納用箱における開口縁の縁取りは、図３に示すように、断面Ｌ形の固定金具２２をその一辺２２ａが角窓孔２３の開口縁の各辺から裏側に向け張出されるように溶接しておき、次いで、４本の断面Ｌ形のモール用型材２４ａを枠状に溶接一体化した縁枠２４を箱体２１の表側から嵌め込んで前記固定金具２２の張出した一辺２２ａに縁枠２４の筒枠部２４ｂをビス止めしたものを普通とするため、固定金具２２を別に製作してこれを箱体２１に溶接したり、４本のモール用型材２４ａを枠状に溶接する作業が必要でこれがコスト高の原因となり、しかも、４本のモール用型材２４ａを枠状に溶接した縁枠２４は裏面にビードが形成されることとなるため、このビードを収納するに充分な切欠２５を箱体２１の角窓孔２３の角部に形成しておく必要があり、そのための作業にも手数を要するなどの問題があった。
【０００２】
【発明が解決しようとする課題】
本発明が解決しようとするところは、前記のような課題を解決し、面倒な溶接作業や切欠形成作業をなくすことによりコストダウンが可能で、しかも、角窓孔の開口縁が体裁よく縁取られた電気機器収納用箱を提供することにある。
【０００３】
【課題を解決するための手段】
前記のような課題を解決した本発明の電気機器収納用箱は、箱体の所要面に角窓孔を設けてその開口縁を縁枠により縁取りした電気機器収納用箱において、前記縁枠は、角窓孔の各辺毎に装着される長さで前面モール用の前庇部と固定用の後庇部との間を前記角窓孔の開口縁に遊嵌させるに充分な溝幅の溝部に形成した４本のモール用型材と、これら４本のモール用型材の後庇部の背面に形成された浅溝状の連結金具保持部内に添装されて４本のモール用型材を連結する４個の扁平なＬ形連結金具よりなるもので、各モール用型材を前記溝部をもって角窓孔の各縁辺に遊嵌するとともに隣接するモール用型材の連結金具保持部の端部間に前記Ｌ形連結金具を添わせて雄ねじにより額縁状に枠組みし、各後庇部から箱体裏面に向け螺挿される雄ねじにより各モール用型材を箱体の角窓孔に対して固定してあることを特徴とすることを特徴とするものである。
【０００４】
【作用】
このような電気機器収納用箱は、内部に開閉器や遮断器あるいは計器類など任意の機器類を収納して各種の箱入電気機器とし、箱体の所要面に設けた角窓孔を通じて箱内を操作したり、角窓孔を覗き窓として使用することは従来のこの種電気機器収納用箱と同様であるが、角窓孔の縁取りが特殊な構造の４本のモール用型材とこれら４本のモール用型材を連結する４個の扁平なＬ形連結金具と雄ねじのみでよく、しかも、面倒な溶接作業や切欠形成作業を必要としないのでコストダウンが可能となる。
【０００５】
【実施例】
次に、本発明を図示の実施例に基づいて詳細に説明する。
１は内部を電気機器収納部とする金属製の箱体であって、扉板など箱体１の所要面には角窓孔２が設けられていてその開口縁は縁枠３により縁取りされており、以上の構成は従来のこの種電気機器収納用箱と特に変わることはないが、本発明は縁枠３の構成に特徴がある。すなわち、前記縁枠３は、角窓孔２の各辺毎に装着される長さのアルミ合金よりなる４本のモール用型材４と、これら４本のモール用型材４を連結する４個の扁平なＬ形連結金具５と、このＬ形連結金具５をモール用型材４の端部にねじ止めして額縁状とする雄ねじ１２と、これらを箱体１にねじ止めする雄ねじ１１を構成部品としている。
【０００６】
モール用型材４は前面モール用の前庇部４ａとこれと略同高の固定用の後庇部４ｂの基部同志を細帯状の基板部４ｃの両側縁より位置方向に張出させて前庇部４ａと後庇部４ｂとの間に前記角窓孔２の開口縁に遊嵌させるに充分な溝幅すなわち箱体１の板厚よりはるかに広幅の溝部４ｄを形成した断面コ字形の主体部に前記基辺部４ｃより後向きに脚板部４ｆを延設して角窓孔２を通じて後庇部４ｂが覗き見されないようにしたもので、前記後庇部４ｂの背面にはＬ形連結金具５を収納できる程度の深さの浅溝状の連結金具保持部４ｅが形成してあり、また、この後庇部４ｂには所要の間隔をおいてねじ孔６を配設してあり、一方、前記Ｌ形連結金具５は前記連結金具保持部４ｅに介入できる程度の厚みと幅を有し且つ両翼部の遊端近くにねじ挿通孔７が配設された状態として金属板材よりプレス成形されたものとしてある。
【０００６】
そして、前記した各モール用型材４は各溝部４ｄをもって角窓孔２の各縁辺に遊嵌し、隣接するモール用型材４、４の後庇部４ｂ、４ｂの背面にそれぞれ形成してある連結金具保持部４ｅ、４ｅの端部には前記したＬ形連結金具５をその両翼部をもって添装したうえ両翼部の遊端近くに配設してあるねじ挿通孔７を通じてモール用型材４、４の後庇部４ｂ、４ｂのねじ挿通孔６にねじ込まれる雄ねじ１２により箱体１の角窓孔２に対応するよう額縁状に枠組みし、さらに、後庇部４ｂに配設された前記ねじ孔６にねじ込まれて先端が箱体１の裏面に達して前庇部４ａとの間に箱体１の板材を挟持する雄ねじ１１により箱体１に固定してある。なお、各モール用型材４の端部は額縁状に突き合わせできるように４５°の角度に切り落としたものでよいが、その一部は図示するように表側のみ４５°の角度に切り落とし、裏側は垂直な切断端面としてもよく、また、図示しないが、角窓孔２を透明パネルで覆うときのためにモール用型材４の基板部４ｃにパネル係合部を形成したものとしてもよい。
【０００７】
このように構成されたものは、箱体１の内部に開閉器や遮断器あるいは計器類など任意の機器類を収納して各種の箱入電気機器として使用すれば、箱体１の所要面には角窓孔２が設けられているため、この角窓孔２を通じて箱体１内の機器類を操作したり、角窓孔２を通じて機器類を覗き見できることは勿論、角窓孔２が４本のモール用型材４よりなる縁枠３で保護されるため、体裁がよいうえに角窓孔２を通じて箱体１内の機器類を操作する場合に角窓孔２の開口縁により手を傷めることもない安全性の高いものとなることは従来のこの種電気機器収納用箱と同様であるが、本発明では、角窓孔２の縁取りをしている縁枠３として前面モール用の前庇部４ａと固定用の後庇部４ｂとの間を前記角窓孔２の開口縁に遊嵌させるに充分な溝幅の溝部４ｄに形成した４本の特殊なモール用型材４をその溝部４ｄをもって角窓孔２の各縁辺に遊嵌するとともに、隣接するモール用型材４、４の後庇部(4b)の背面に形成された連結金具保持部４ｅ、４ｅの端部間に前記Ｌ形連結金具５を添装して雄ねじ１２により額縁状とし、各後庇部４ｂから箱体１の裏面に向け螺挿される雄ねじ１１により各モール用型材４を箱体１の角窓孔２に対して固定したものとしてあるので、部品点数が少なくなるうえに面倒な溶接作業が全くなくなり、しかも、この溶接作業がなくなることにより箱体１の角窓孔２は単純な角形としておくだけでよく、角窓孔の角部に溶接ビードを収納するに充分な切欠を形成するなどの手間も不要で角窓孔２を縁枠３で縁取りするためのコストを大幅に低くすることができることとなる。
【０００８】
【発明の効果】
本発明は前記説明によって明らかなように、角窓孔の縁取りが特殊な構造の４本のモール用型材とこれら４本のモール用型材を連結する４個の扁平なＬ形連結金具と雄ねじのみでよいので、部品点数が少なくなるうえに部品製造作業や縁枠装着作業が簡単となってコストダウンが可能となる利点があり、しかも、雄ねじによる装着であるから取外しが可能なうえ溶接などに比べて体裁のよい縁取りができるなど種々の利点がある。また、後庇部の背面を浅溝状の連結金具保持部に形成したので、Ｌ形連結金具のねじ止め作業が容易となるうえに位置決めが的確にできて好ましく、さらに、請求項２に記載したようにモール用型材の前庇部と後庇部とを繋ぐ細帯状の基板部に脚板部を延設したものは、箱体内に収納した機器類と箱体の板面との間に空間があってもこの脚板部により角窓孔を通じて後庇部が覗き見できないのでより体裁がよいものとなる。
従って、本発明は従来の問題点を解決した電気機器収納用箱として業界の発展に寄与するところ極めて大なものである。
【図面の簡単な説明】
【図１】  本発明の実施例を示す一部切欠側面図である。
【図２】  本発明の実施例の要部を示す断面図である。
【図３】  従来のこの種電気機器収納用箱の代表例を示す一部切欠側面図である。
【符号の説明】
１  箱体
２  角窓孔
３  縁枠
４  モール用型材
4a  前庇部
4b  後庇部
4c  基板部
4d  溝部
4e  連結金具保持部
4f  脚板部
５  Ｌ形連結金具
11  雄ねじ
12  雄ねじ
【図１】
0003748581.tif 000002
【図２】
0003748581.tif 000003
【図３】
0003748581.tif 000004